(57)【要約】【課題】照射部の動作を照射部の光で判断可能な構成にし、且つこの判断可能な構成にするにあたって、回路構成の追加によるコスト増大や設置スペースの制限等の発生を軽減した光照射装置を提供する。【解決手段】本発明は、非可視領域の波長帯で非可視の光を照射する照射部６と、照射部６を一端に設けた本体１とを備えると共に、照射部６が、前記非可視の光を発する光源７と、光源７の発した光を外部に放出する照射口１１とを備えた光照射装置であって、光源７を、複数の発光ダイオードを配置したＬＥＤ基板モジュール８で構成し、照射部６が、照射口１１から放出する照射光の一部に、可視領域の波長帯で可視の光を有し、前記照射光の照射方向Ｌにおいて、照射部６の照射口１１より後方の部位に、前記可視の光を外部に放出するスリット１２を設けた。【選択図】図１
2013106877.tif 000002
【特許請求の範囲】
【請求項１】
非可視領域の波長帯で非可視の光を照射する照射部と、前記照射部を一端に設けた本体とを備えると共に、前記照射部が、前記非可視の光を発する光源と、前記光源の発した光を外部に放出する照射口とを備えた光照射装置であって、
前記光源を、複数の発光ダイオードを配置したＬＥＤ基板モジュールで構成し、
前記照射部が、前記照射口から放出する照射光の一部に、可視領域の波長帯で可視の光を有し、
前記照射光の照射方向において、前記照射部の前記照射口より後方の部位に、前記可視の光を外部に放出するスリットを設けた
ことを特徴とする光照射装置。
【請求項２】
前記複数の発光ダイオードのうちの一部が、前記可視の光を発する可視光用発光ダイオードであり、
前記照射部が、前記光源と前記照射口との間に設けられ前記光源からの光を拡散して透光する拡散透光部材をさらに備え、
前記拡散透光部材の前記可視の光を透光する部位に、光の拡散を抑制する拡散抑制部を設けた
ことを特徴とする請求項１に記載の光照射装置。
【請求項３】
前記拡散抑制部が、開口部である
ことを特徴とする請求項２に記載の光照射装置。
【請求項４】
前記拡散抑制部が、集光部である
ことを特徴とする請求項２に記載の光照射装置。
【請求項５】
前記照射部が、前記光源と前記照射口との間に設けられ前記光源からの光を拡散して透光する拡散透光部材をさらに備え、
前記拡散透光部材に、前記非可視の光の入射によって前記可視の光を出射する光変更部を設けた
ことを特徴とする請求項１に記載の光照射装置。
【発明の詳細な説明】
【技術分野】
【０００１】
本発明は、近赤外光を生体表面に照射して、育毛を促す光照射装置に関する。
【背景技術】
【０００２】
従来から、生体表面に光を照射する光照射装置として、例えば、特許文献２に示すような発光ダイオードを光源に用いた発毛調節光照射装置がある。特許文献２の発毛調節光照射装置は、８７０ｎｍ以上９１０ｎｍ以下の波長域を除く６００ｎｍ以上１０００ｎｍ以下の波長域の低エネルギーの光を毛根部付近に照射することで、炎症を生じさせることなく育毛を促進させている。
【先行技術文献】
【特許文献】
【０００３】
【特許文献１】特開２００８−２４６１４４号公報
【発明の概要】
【発明が解決しようとする課題】
【０００４】
ところで、特許文献１等の従来の発毛調節光照射装置は、上記波長域のうち、非可視（不可視）の波長帯の光を育毛用の光として照射した場合、使用者は照射光等の光照射（照射部の動作）を目で確認することができない。そのため、従来の発毛調節光照射装置は、光を照射しているのか否かを照射部の動作から判断することができず、この動作を使用者に認識させるための報知部等を別途設ける必要がある。しかしながら、報知部等を増設した場合、報知部用の回路等の回路構成の増加、回路構成や制御処理の複雑化等を生じ易くなり、コストの増大を生じたり、構成部材の増加によって装置内における部材の設置スペースに制限が生じたりする恐れがある。
【０００５】
そこで、この事情を鑑み、照射部の動作を照射部の光で判断可能な構成にし、且つこの判断可能な構成にするにあたって、回路構成の追加等によるコスト増大や設置スペースの制限の発生等を軽減した光照射装置を提供することを課題とした。
【課題を解決するための手段】
【０００６】
上記課題を解決するために、本発明は、非可視領域の波長帯で非可視の光を照射する照射部と、前記照射部を一端に設けた本体とを備えると共に、前記照射部が、前記非可視の光を発する光源と、前記光源の発した光を外部に放出する照射口とを備えた光照射装置であって、前記光源を、複数の発光ダイオードを配置したＬＥＤ基板モジュールで構成し、前記照射部が、前記照射口から放出する照射光の一部に、可視領域の波長帯で可視の光を有し、前記照射光の照射方向において、前記照射部の前記照射口より後方の部位に、前記可視の光を外部に放出するスリットを設けたことを特徴とする。
【０００７】
この光照射装置として、前記複数の発光ダイオードのうちの一部が、前記可視の光を発する可視光用発光ダイオードであり、前記照射部が、前記光源と前記照射口との間に設けられ前記光源からの光を拡散して透光する拡散透光部材をさらに備え、前記拡散透光部材の前記可視の光を透光する部位に、光の拡散を抑制する拡散抑制部を設けたことが好ましい。
【０００８】
この光照射装置として、前記拡散抑制部が、開口部であることが好ましい。
【０００９】
この光照射装置として、前記拡散抑制部が、集光部であることが好ましい。
【００１０】
この光照射装置として、前記照射部が、前記光源と前記照射口との間に設けられ前記光源からの光を拡散して透光する拡散透光部材をさらに備え、前記拡散透光部材に、前記非可視の光の入射によって前記可視の光を出射する光変更部を設けたことが好ましい。
【発明の効果】
【００１１】
このような構成としたことで、照射部の動作を照射部の光で判断可能な構成にし易くすることができ、且つこの判断可能な構成にするにあたって、回路構成の追加によるコスト増大や設置スペースの制限等の発生を軽減し易くすることができる。
【図面の簡単な説明】
【００１２】
【図１】実施形態の一例の光照射装置の構成を模式的に示した正面図である。
【図２】第１端部の平面図である。
【図３】光源の変形例であり、（ａ）が平面図であり、（ｂ）がＡ−Ａ断面図であり、（ｃ）が領域Ｂを拡大した断面図である。
【図４】光源の他の変形例であり、（ａ）が平面図であり、（ｂ）がＣ−Ｃ断面図であり、（ｃ）が領域Ｄを拡大した断面図である。
【図５】光源の更に他の変形例であり、（ａ）がＣ−Ｃ断面図であり、（ｂ）が領域Ｅを拡大した断面図である。
【図６】光源の更に異なる他の変形例であり、（ａ）が発光ダイオードを省略した平面図であり、（ｂ）がＦ−Ｆ断面図である。
【図７】図６の更に他の変形例の発光ダイオードを省略した平面図である。
【発明を実施するための形態】
【００１３】
以下、本発明の実施形態を、図面に基づいて例示して説明する。
【００１４】
本実施形態の光照射装置は、図１に示すように、有底筒状の本体１と、育毛用の光を発しこの光を生体表面に照射する照射部６とで主体が構成される。そして、光照射装置は、本体１の側面１ａを把持し、且つ本体１の開口した側の一端（第１端部１ｂ）に設けた照射部６を生体表面に当接した状態で使用される。
【００１５】
本体１は矩形の筒状で、図２に示すように、筒の第１端部１ｂや反対側の第２端部１ｃ（底部）が平面視矩形状となっており、第１端部１ｂは矩形状の開口を有する。そして、本体１は内部に、図１に示すように、照射部６に発光用の電力を供給する電源部２と、発光等の照射部６の動作を制御する制御部３と、各部を電気的に接続する導電経路４とが設けてある。電源部２は、例えば、二次電池等の充電可能な内蔵電源となっており、導電経路４を介して制御部３及び照射部６に電力を供給する。
【００１６】
導電経路４には、通電と遮断とを（給電の入り切りを）切り替えるスイッチ５がさらに設けてある。そして、本体１は、外殻に露出して操作部（図示せず）が設けてある。そして、この操作部を操作することで、スイッチ５を介して導電経路４の給電の入り切りが切り替わる。また、導電経路４は、例えば、リード線や、端子金具等の導電部材で主体が形成されており、給電用の電源線や、制御部３からの制御信号を伝達するための信号線等として機能する。そして、導電経路４は、電源部２と制御部３とを電気的に接続する第１導電部４ａと、制御部３と照射部６とを電気的に接続する第２導電部４ｂと、を有する。
【００１７】
制御部３は、導電経路４において電源部２と照射部６との間に配置されており、電源部２からの電力は、制御部３に供給され、且つ制御部３を介して照射部６に供給される。そして、制御部３は、光源７がパルス点灯するよう発光制御を行う。
【００１８】
照射部６は、導電経路４（第２導電部４ｂ）を介して制御部３に電気的に接続された光源７と、生体表面に縁部１１ａを当接する照射口１１とを備える。そして、照射部６は第１端部１ｂの開口が照射口１１となっている。
【００１９】
光源７は、複数の発光ダイオード１０を基板９に実装したＬＥＤ基板モジュール８で主体が構成される。ＬＥＤ基板モジュール８は、矩形板状の基板９と、複数個（本実施形態では１６個）の発光ダイオード１０とを備え、発光ダイオード１０は基板９の一方の板面（第１板面９ａ）に設けてある。
【００２０】
発光ダイオード１０は、所定の一方向に向けて光を発する指向性を有した発光体となっている。そして、発光ダイオード１０は、所謂砲弾型の円錐形状で、底面を第１板面９ａに取り付けてあり、円錐の軸方向に沿って光を発する。更に、発光ダイオード１０は、軸方向を略並行で且つ第１板面９ａに略直交した向きで第１板面９ａ上に並べてある。
【００２１】
また、複数の発光ダイオード１０のうち、一つの発光ダイオード１０が、可視領域の波長帯の可視の光を発する可視光用発光ダイオード１０ｂになっている。そして、この可視光用発光ダイオード１０ｂを除く他の全ての発光ダイオード１０が、非可視領域である近赤外領域の波長帯の非可視（不可視）の光（近赤外光）を発する育毛用発光ダイオード１０ａになっている。更に、この非可視の光の波長帯として、９５０ｎｍ又は１４５０ｎｍの波長帯の近赤外光が好ましく、照射部６はこの波長帯の一方のみ又は両方の波長帯の近赤外光を非可視の光として放出することが好ましい。
【００２２】
そのため、光源７は、第１板面９ａに略直交して第１板面９ａから離れる向きに、近赤外光及び可視の光を照射光として放出する構成となっている。そして、近赤外光は頭皮等の生体表面に照射することで、照射された生体表面近傍の毛の成長を促し易くすることができ、光照射による育毛効果を高め易くすることができる。
【００２３】
以下、非可視の光を発する育毛用発光ダイオード１０ａを第１ＬＥＤ１０ａとし、可視の光を発する可視光用発光ダイオード１０ｂを第２ＬＥＤ１０ｂとし、特に区別しない場合、発光ダイオード１０とする。そして、発光ダイオード１０が照射光を放出する方向（軸方向に沿って光を発する向き）を、図１に示すように、照射方向Ｌとし、照射方向Ｌにおける先方側を前方とし、反対側を後方とする。
【００２４】
また、発光ダイオード１０は、平面視において、基板９上に略等間隔で且つ所定の位置に配置してある。具体的には、図２に示すように、基板９上の一方向（基板９の第１辺）に沿って、発光ダイオード１０を４個並べた列を、基板９上の上記一方向に直交したの他の一方向（基板９の第２辺）に沿って、４つ（４列）配置してある。
【００２５】
そして、ＬＥＤ基板モジュール８は、図１に示すように、本体１内部に設けてあり、光源７の照射方向Ｌの先（前方）には、照射口１１が位置する。そのため、光源７の発した光は、照射口１１を介して第１端部１ｂから本体１の外部（本体１の前方）に照射光として放出される。
【００２６】
照射口１１は、図２に示すように、矩形状に開口しており、平面視において、照射口１１内（縁部１１ａに囲まれた内周側）に光源７が位置する。そして、照射口１１の縁部１１ａは、本体１の外殻によって形成されており、照射部６での光照射時には、この縁部１１ａ全体を生体表面に当接した状態で行われる。そのため、照射口１１から放出された近赤外光（非可視の照射光）は、縁部１１ａを当接した生体表面のうち、照射口１１内に位置した部位（縁部１１ａに囲まれた部位）に照射される。
【００２７】
また、本実施形態の光照射装置は、図１に示すように、使用者が後方側から照射口１１を覗き、照射光に含まれる可視の光を視認するために、側面１ａの照射部６近傍の位置にスリット１２が設けてある。
【００２８】
具体的には、側面１ａのうち、基板９（光源７）から照射方向Ｌに直交した位置にスリット１２が設けてある。言い換えると、スリット１２は、側面１ａの把持される領域より前方側、すなわち側面１ａの照射部６の外殻を形成する部位に設けてある。そして、光照射装置は、使用者が本体１側方で且つスリット１２の後方側から、照射方向Ｌから本体１内向きに傾斜した向きで、スリット１２を介して本体１内部側を覗くことで、照射口１１を視認することができる構成になっている。
【００２９】
そのため、生体表面に光照射を行った際には、例えばスリット１２を介して第２ＬＥＤ１０ｂの可視の光に照らされた生体表面の一部を視認する等で、光照射中（照射部６が動作中）か否かを使用者に判断させ易くすることができる。言い換えると、スリット１２は、光源７の光の一部の可視領域の波長帯の光である第２ＬＥＤ１０ｂの生体表面で反射した光（反射光）を側面１ａより外方（側方）に放出することで、動作中か否かを使用者に判断させ易くすることができる。
【００３０】
そして、スリット１２を介して照射口１１を視認して動作中か否かを判断可能にしたことで、生体表面に照射口１１を当接した状態等であっても、動作中かを判断させ易くすることができる。
【００３１】
更に、生体表面に当接した状態であっても、照射口１１を視認可能にしたことで、照射口１１を介して当接位置を確認することができ、生体表面の使用者が所望する部位に照射口１１を位置させ易くなり、光照射装置の利便性を向上し易くすることができる。そして、照射方向Ｌから傾斜した向きで照射口１１より後方側から視認する構成としたことで、前方側から照射方向Ｌに対向して照射口１１を覗き込まなくても（光源７を直視しなくても）動作中かを判断させ易くすることができる。そのため、動作中かを判断させ易くするにあたって、光源７を直視すること等による使用者の不安を生じ難くすることができる。
【００３２】
更に、側面１ａの照射部６の位置する部位（把持される領域より前方側）にスリット１２を設けたことで、スリット１２を介して照射口１１側を視認するにあたって、使用時に把持した手等がこの視認に干渉し難くすることができる。そのため、スリット１２を介して照射口１１内や可視の光を視認し易くすることができ、動作中かを判断させ易くすることができる。
【００３３】
以下、図３乃至図６に示す照射部６の変形例を説明する。なお、前述した構成と、重複する構成に対する説明は省略する。
【００３４】
図３に示す第１の変形例は、基板９は第１板面９ａの中央に凸部９ｂを有する。凸部９ｂは照射方向に突出した円柱状となっており、円柱の軸方向が照射方向と略並行に並ぶ。そして、凸部９ｂは円柱の端面（前面９ｃ）に発光ダイオード１０が設けてある。発光ダイオード１０は平面視矩形のチップ形状のものになっており、発光ダイオード１０は、５個並ぶ列を平行に５つ（５列）配置した平面視矩形状で、前面９ｃ上に設けてある。
【００３５】
そして、ＬＥＤ基板モジュール８は、報知用の発光ダイオード１５をさらに備える。報知用の発光ダイオード１５は、照射口１１に向けて光を発する発光ダイオード１０（第１ＬＥＤ１０ａ及び第２ＬＥＤ１０ｂ）と別体で、第１板面９ａの平面視において第１板面９ａの照射口１１内に位置しない部位に設けてある。言い換えると、報知用の発光ダイオード１５は、平面視において、第１板面９ａの凸部９ｂより径外方向にずれた凸部９ｂ以外の位置に設けてある。以下、報知用の発光ダイオード１５を第３ＬＥＤ１５とし、照射光用の発光ダイオード１０である第１ＬＥＤ１０ａ及び第２ＬＥＤ１０ｂを纏めた「発光ダイオード１０」と区別する。
【００３６】
第３ＬＥＤ１５は、発光ダイオード１０と同様に、制御部３から給電され且つ発光制御されており、発光ダイオード１０のパルス点灯中、点灯し続け、可視領域の波長帯の光を照射方向Ｌに沿って発し続ける。そして、第３ＬＥＤ１５は、照射方向Ｌにおいて、第１端部１ｂの照射口１１より側方に設けた開口（図示せず）に正対して位置しており、第３ＬＥＤ１５の発した光はこの開口から本体１前方に放出される。
【００３７】
そのため、第１端部１ｂを生体表面に当接した状態では、発光ダイオード１０での光照射動作と略同時に、第３ＬＥＤ１５が生体表面の平面視において上記開口と重なる位置に光を照射する。そして、第３ＬＥＤ１５は平面視において照射口１１より側方の位置に光を照射するため、光の一部が発光ダイオード１０の光（照射光）に比べて、平面視において本体１側方に漏れ出易い。
【００３８】
そのため、この漏れ出た光が同時に行われる光照射の指標となり、動作中か否かを使用者に判断させ易くすることができる。更に、第３ＬＥＤ１５をＬＥＤ基板モジュール８に設けたことで、ＬＥＤ基板モジュール８と別体で動作報知用の報知部を設けたものに比べて、設置スペースの制限を生じ難くしたり、導電経路４の複雑化やコスト増大等を抑制し易くしたりすることができる。
【００３９】
図４に示す第２の変形例は、ＬＥＤ基板モジュール８に拡散透光部材２０が設けてある。拡散透光部材２０は、矩形状に配置した発光ダイオード１０の前面側及び凸部９ｂを覆っている。そして、拡散透光部材２０は、発光ダイオード１０の発した光を拡散して照射方向Ｌに透光する。そのため、光照射装置は、拡散透光部材２０で拡散した光を照射光として照射口１１から本体１外部（前方）に放出する構成になっている。
【００４０】
そして、照射光を拡散透光部材２０で拡散した光にしたことで、拡散透光部材２０の無いものに比べて、平面視において、発光ダイオード１０間や照射口１１の略全体等の広い範囲で照射口１１から放出し易くする（照射し易くする）ことができる。そのため、拡散透光部材２０を備えないものに比べて、発光ダイオード１０間等の生体表面の広い範囲に育毛用の光を照射し易くすることができ、光照射による育毛効果の向上を生体表面に付与し易くすることができる。
【００４１】
更に、拡散透光部材２０は、第２ＬＥＤ１０ｂの光の拡散を抑制した拡散抑制部２１を有する。拡散抑制部２１は拡散透光部材２０に切り欠く等で形成した開口部２２で主体が構成される。開口部２２は、照射方向Ｌにおいて第２ＬＥＤ１０ｂに正対した部位に設けてあり、開口部２２から第２ＬＥＤ１０ｂの前面側が露出している。
【００４２】
そのため、第２ＬＥＤ１０ｂの発した可視の光は、開口部２２を介して照射口１１に入射しており、拡散透光部材２０による光学的な影響を略受けず（拡散せず）に、指向性を略保った状態で照射口１１から放出される。そして、指向性を略保った状態で可視の光を放出したことで、例えば可視の光で照らされた生体表面や反射光の単位面積当たりの光量の低下等での視認性の低下を抑制し易くなり、動作中かを使用者に判断させ易くすることができる。
【００４３】
図５に示す第３の変形例は、拡散透光部材２０の第２ＬＥＤ１０ｂに正対した部位（第２変形例の開口部２２を有した部位）に、拡散抑制部２１として集光部２３が設けてある。集光部２３は、例えば集光レンズ等で主体が構成されており、集光部２３は第２ＬＥＤ１０ｂの光を、第２ＬＥＤ１０ｂの平面視中央側に集めて、又は指向性を略保った状態で、照射口１１に入射させる。
【００４４】
この構成にしたことで、第２ＬＥＤ１０ｂの光は拡散抑制部２１を介して照射口１１に入射するため、拡散透光部材２０による光学的な影響を略受けず（拡散せず）に照射口１１から放出される。そのため、例えば可視の光で照らされた生体表面や反射光の単位面積当たりの光量の低下等での視認性の低下を抑制し易くなり、動作中かを使用者に判断させ易くすることができる。そして、可視の光を平面視第２ＬＥＤ１０ｂの中央側に集めたことで、可視の光の視認性を高め易くすることができ、動作中かを使用者に判断させ易くすることができる。
【００４５】
図６に示す第４の変形例は、光源７が可視の光を発する第２ＬＥＤ１０ｂを備えておらず、光源７用の発光ダイオード１０として第１ＬＥＤ１０ａのみを備える。そして、拡散透光部材２０は光変更部２４を有する。
【００４６】
光変更部２４は、光源７からの非可視の光が入射されることで、照射口１１に向けて可視の光を出射する構成になっており、拡散透光部材２０の一部に設けてある。そして、光変更部２４は、例えば近赤外領域の波長帯の光で励起し可視の光を発する蛍光体で主体が構成される。蛍光体は、例えば平面視矩形状の蛍光部材２４ａで主体が構成される。
【００４７】
蛍光部材２４ａは複数個設けてあり、拡散透光部材２０の前面側の夫々異なる位置に埋め込み取り付けてある。そして、蛍光部材２４ａは、光源７から拡散透光部を介して非可視の光（育毛用の光）が入射すると、少なくとも照射口１１に向けて可視の光を出射する。
【００４８】
このような構成にしたことで、拡散透光部材２０で拡散された光源７からの育毛用の光と、光変更部２４から出射した可視の光との二種類の光が照射口１１から放出される。そのため、育毛用の光照射による育毛効果の向上を生体表面に付与し易くすることができ、且つ可視の光照射によって動作中かを使用者に判断させ易くすることができる。
【００４９】
また例えば、図７に示すように、光変更部２４は、蛍光剤２４ｂで主体を構成することができ、蛍光剤２４ｂは拡散透光部材２０の前面や後面に塗布する等で光変更部２４を形成する。そして、蛍光剤２４ｂを用いた場合、光変更部２４で拡散透光部材２０に模様や文字等を描き易くなるため、動作判断用の可視の光で生体表面に所定の絵や模様や文字等を投射することができる。
【００５０】
なお、本発明は、実施形態や変形例の構成のみに限定されるものではなく、本発明の意図する範囲内であれば、実施形態や変形例において適宜の設計変更を行うことや、実施形態や各変形例等の構成を適宜組み合わせて適用することが可能である。例えば、拡散透光部材２０は、レンズ部材等のＬＥＤ基板モジュール８と別部材で形成して、照射方向Ｌにおける光源７と照射口１１との間に設けた構成であってもよい。また例えば、第２ＬＥＤ１０ｂを二つ以上設けた構成であってもよく、砲弾型の発光ダイオード１０を配置したＬＥＤ基板モジュール８に拡散透光部材２０を設けてもよい。また例えばＬＥＤ基板モジュール８は、基板９が凸部９ｂを有さず、チップ形状の発光ダイオード１０を第１板面９ａに設けた構成であってもよい。
【００５１】
また例えば、光変更部２４は、蛍光部材２４ａと蛍光剤２４ｂとを設けたものであってもよい。そして、蛍光体は、発した可視の光が拡散透光部材２０による光学的な影響を受け難い前面側が好ましいが、後面側や内部に設けた構成であってもよい。更に、光変更部２４は、蛍光体で構成したものに限らず、近赤外光等の非可視の光が入射されることで可視の光を出射するものであればよい。また例えば、拡散透光部材２０の一つの発光ダイオード１０の前面側に正対した部位に開口部２２（拡散抑制部２１）を形成し、開口部２２に光変更部２４を設けた構成としてもよい。もちろん、蛍光部材２４ａの形状や数は例示の構成のみに限らない。
【符号の説明】
【００５２】
１  本体
１ｂ  第１端部
６  照射部
７  光源
８  ＬＥＤ基板モジュール
１０  発光ダイオード
１１  照射口
１２  スリット
２０  拡散透光部材
２１  拡散抑制部
２２  開口部
２３  集光部
２４  光変更部
Ｌ  照射方向
【図１】
2013106877.tif 000003
【図２】
2013106877.tif 000004
【図３】
2013106877.tif 000005
【図４】
2013106877.tif 000006
【図５】
2013106877.tif 000007
【図６】
2013106877.tif 000008
【図７】
2013106877.tif 000009